(57)【要約】【課題】ベッド本体の収納空間部の湿気を少なくし、その収納空間部に収納された衣類などの物品にカビやダニが発生するのを防止し、脱臭、吸湿効果を図るようにしたベッド装置を提供することにある。【解決手段】一側面に開口する収納空間部が形成されたベッド本体と、上記収納空間部に出し入れ可能に設けられ、上方を開口し前板と側板と底板の各部材で形成された箱状の引き出しを有するものにおいて、引き出しを構成する部材の内側面にポケットを設け、このポケットに木炭を入れた通気性ある収容袋を具備する。【選択図】        図４
2004159943.tif 000002
【特許請求の範囲】
【請求項１】
一側面に開口する収納空間部が形成されたベッド本体と、上記収納空間部に出し入れ可能に設けられ、上方を開口し前板と側板と底板の各部材で形成された箱状の引き出しを有するものにおいて、引き出しを構成する部材の内側面にポケットを設け、このポケットに木炭を入れた通気性ある収容袋を具備したことを特徴とするベッド装置。
【請求項２】
一側面に開口する収納空間部が形成されたベッド本体と、上記収納空間部に出し入れ可能に設けられ収納時に上記収納空間部の開口を密閉する引き出しと、
上記引き出しは上方を開口し前板と側板と底板の各部材で箱状に形成され、引き出しを形成する部材の少なくとも前板の内面側に補助板を添設し、この補助板のほぼ中央部に上方を開口したポケットを形成し、このポケットの衣類等収容部側の側壁に複数の透孔を設け、このポケットに木炭を入れた通気性ある収容袋を挿入していることを特徴とするベッド装置。
【発明の詳細な説明】
【０００１】
【発明が属する技術分野】
この発明はベッド本体に形成された収納空間部に引き出しを出し入れすることができるベッド装置に関する。
【０００２】
【従来の技術】
一般に、ベッド装置はベッド本体を有し、このベッド本体の上面にはマットレスが載置される。上記ベッド本体を有効利用するため、このベッド本体に収納空間部を形成し、この収納空間部に利用者が利用しやすいように複数の引き出しを出し入れ可能に設けるようにしたベッド装置が知られている。このような構成のベッド装置はたとえば特許文献１に示されている。
【０００３】
【特許文献１】
特開平５−１３７６３１号公報
【０００４】
上記引き出しは、主に衣類の収納部として利用されることが多い。しかしながら、ベッド本体に形成された収納空間部は、ベッド本体の上面に載置されたマットレスを通じてこのマットレスの利用者の湿気がこもり易く、また室内は床面に近い方が湿度が高いから、室内の湿度が上昇すると引き出しに収納された衣類は湿り易く、それによってカビやダニが発生しやすいので、衣類は破損し、虫食い状態になることもあり、また異臭の発生も生じることがあった。
【０００５】
【発明が解決しようとする課題】
この発明は、ベッド本体の収納空間部の湿気を少なくし、その収納空間部に収納された衣類などの物品にカビやダニが発生するのを防止し、脱臭、吸湿効果を図るようにしたベッド装置を提供することにある。
【０００６】
【問題を解決するための手段】
請求項１の発明は、一側面に開口する収納空間部が形成されたベッド本体と、上記収納空間部に出し入れ可能に設けられ、上方を開口し前板と側板と底板の各部材で形成された箱状の引き出しを有するものにおいて、引き出しを構成する部材の内側面にポケットを設け、このポケットに木炭を入れた通気性ある収容袋を具備したことを特徴とするベッド装置にある。
【０００７】
請求項２の発明は、一側面に開口する収納空間部が形成されたベッド本体と、上記収納空間部に出し入れ可能に設けられ収納時に上記収納空間部の開口を密閉する引き出しと、上記引き出しは上方を開口し前板と側板と底板の各部材で箱状に形成され、引き出しを形成する部材の少なくとも前板の内面側に補助板を添設し、この補助板のほぼ中央部に上方を開口したポケットを形成し、このポケットの衣類等収容部側の側壁に複数の透孔を設け、このポケットに木炭を入れた通気性ある収容袋を挿入していることを特徴とするベッド装置にある。
【０００８】
この発明によれば、収納空間部に出し入れ可能にして引き出しを設け、この引き出しにポケットを設け、このポケットに木炭を入れた通気性ある収容袋を収納したから、木炭の吸湿、脱臭効果により引き出しの衣類等収容部にいれた衣類などにカビやダニが発生するのを防止することが可能になる。
【０００９】
【発明の実施の形態】
以下、図面を参照しながらこの発明の実施形態を説明する。
【００１０】
図１乃至図４はこの発明の実施形態を示し、図１に示すベッド装置はベッド本体１を備えている。このベッド本体１は、ヘッドボード２を有し、このヘッドボード２の前面の幅方向一端には側板３の長手方向一端が図示しない連結具によって着脱可能に連結されている。上記側板３の長手方向他端には、上記ヘッドボード２とほぼ同じ幅寸法のフットボード４の幅方向一端が図示しない連結具によって着脱可能に連結されている。
【００１１】
上記ヘッドボード２とフットボード４との間の幅方向一端側には、ヘッドボード２の約半分の幅寸法で、一側面が開口し、内部を収納部とした収納空間部５が設けられている。この収納空間部５は箱状体６の長手方向に所定間隔で設けられた２枚の仕切り板１０によって３つの収納部に隔別されている。上記箱状体６は図２に示すように、底板７、天板８、後板９で形成されており、側板３と後板９の上部には受け桟１６が設けてあり、受け桟１６上に床板１７が横架されている。
【００１２】
収納空間部５の収納部には、引き出し１１が出し入れ自在に収納されている。引き出し１１は上面が開放した箱形状に形成されていて、前板１１１と左右の側板１１２と後板１１３と底板１１４で構成されている。側板１１２の側面にはガイド部材１２が設けられ、このガイド部材１２が上記仕切り板１０の側面及び箱状体６の端板１３の内面にそれぞれ設けられたレール部材（図示しない。）に移動可能に係合している。それによって、各引き出し１１は上記レール部材にガイドされて円滑に出し入れすることができるようになっている。
【００１３】
引き出し１１の前板１１１の内面側（衣類収容部１５側）には補助板１１５が添設されており、この補助板１１５のほぼ中央部にはポケット１１５ａが穿設されており、このポケット１１５ａの側壁１１５ｂに複数の透孔１１５ｃが設けてある。
【００１４】
ポケット１１５ａには木炭のチップ状の細片を入れた通気性のある収容袋１４が挿入されている。収容袋は通気性があればよく布製または紙製のものを使用する。木炭の材質は限定しないが竹炭などでもよく、好ましくは備長炭を使用する。木炭の形状、大きさは限定されず粉末状でもよい。
【００１５】
木炭は多孔質であるために脱臭、除湿、空気の清浄などさまざまな作用効果を有しており、とくに引き出し１１の内部に収容した衣類などに影響する湿気を除く効果が優れている。また引き出し１１の部材を桐材料でつくるときは桐の除菌作用や殺菌作用による相乗効果が得られる。
【００１６】
また、引き出し１１の前板１１１の周辺部が収納空間部５の箱状体６の開口側の周端面に密接して、開口を密閉すると、引き出し１１の内部は密閉状態で木炭の効果と相俟って除湿空間とすることができる。
【００１７】
ポケット１１５ａは、前板１１１の内面側にほぼ中央部を切り欠いた補助板１１５を固定した。この補助板１１５の上端は前板１１１の上端より下の位置にあって、前板１１１とで段部１１５ｄを形成し、この段部１１５ｄにポケット１１５ａの開口部分が設けられる。
【００１８】
ポケット１１５ａの内面側（衣類等収容部１５側）の側壁１１５ｂに複数の透孔１１５ｃが設けてあるので、衣類収容部１５に生じる湿気を透孔１１５Ｃを通して木炭により吸湿することができる。
ポケット１１５ａを設ける位置は引き出し１１の衣類等収容部１５側に面していればよく側板３に設けてもよい。さらにこのポケット１１５ａの形状も限定されるものではない。
【００１９】
【発明の効果】
以上のようにこの発明によれば、収納空間部に出し入れ可能にして引き出しを設け、この引き出しの内面側にポケットを設け、このポケットに木炭を入れた通気性ある収容袋を収納したから、木炭の吸湿、脱臭効果により引き出しの衣類等収容部内を吸湿、脱臭することができるようにした。
【００２０】
そのため、ベッド本体の収納空間部に出し入れ自在にした引き出しに収容した衣類等の物品にカビが発生するのを防止できる。
【図面の簡単な説明】
【図１】この発明の実施形態を示すベッドの斜視図。
【図２】ベッド幅方向の断面図。
【図３】ベッド長手方向の断面図。
【図４】引き出しの斜視図。
【符号の説明】
１：ベッド
２：ヘッドボード
３：側板
４：フットボード
５：収納部
６：箱状体
７：底板
８：天板
９：後板
１０：仕切り板
１１：引き出し
１１１：前板
１１２：側板
１１３：後板
１１４：底板
１２：ガイド部材
１３：端板
１４：木炭を入れた収容袋
１５：衣類等収容部
１１５：補助板
１１５ａ：ポケット
１１５ｂ：側壁
１１５ｃ：透孔
１１５ｄ：段部
１６：受け桟
１７：床板
【図１】
2004159943.tif 000003
【図２】
2004159943.tif 000004
【図３】
2004159943.tif 000005
【図４】
2004159943.tif 000006